(57)【要約】【課題】  直接目視できない位置に設置された設備機器であっても、地図上で現物を照合確認できるようにすること。【解決手段】  管理対象の設備機器に取り付けられた記録媒体から当該設備機器の識別情報を非接触で読取る読み取り手段と、管理対象の設備機器の識別情報と設置位置情報を格納した第１の記憶手段と、地図情報を記憶した第２の記憶手段と、前記読み取り手段によって管理対象の設備機器の記録媒体から読取った識別情報により前記記憶手段を検索し、管理対象の設備機器の設置位置情報を取得し、該設置位置情報によって前記第２の記憶手段から対応する位置の地図データを取得し、当該設備機器の設置位置を地図上に表示させる地図表示処理手段と、表示された設備機器の設置位置と実際の設置位置との一致、不一致をユーザの入力操作によって受付け、管理結果として第３の記憶手段に登録する手段とを備えることを特徴とする。【選択図】      図１
2006277176.tif 000002
【特許請求の範囲】
【請求項１】
設備機器を管理する設備機器管理システムにおいて、
管理対象の設備機器に取り付けられた記録媒体から当該設備機器の識別情報を非接触で読取る読み取り手段と、
管理対象の設備機器の識別情報と設置位置情報を格納した第１の記憶手段と、
地図情報を記憶した第２の記憶手段と、
前記読み取り手段によって管理対象の設備機器の記録媒体から読取った識別情報により前記記憶手段を検索し、管理対象の設備機器の設置位置情報を取得し、該設置位置情報によって前記第２の記憶手段から対応する位置の地図データを取得し、当該設備機器の設置位置を地図上に表示させる地図表示処理手段と、
表示された設備機器の設置位置と実際の設置位置との一致、不一致をユーザの入力操作によって受付け、管理結果として第３の記憶手段に登録する手段と
を備えることを特徴とする設備機器管理システム。
【発明の詳細な説明】
【技術分野】
【０００１】
本発明は、市街地等の各種の地域に設置された設備機器の諸データを地図上に表示して管理する設備機器管理システムに関するものである。
【背景技術】
【０００２】
市街地等の地域には、ＣＡＴＶ、電力送配電、無線ＬＡＮ基地局等の施設で、さまざまな設備機器が設置されている。これらの設備機器の設置場所、設置状況等を把握し、施設として効率的に運用するためには、地図上に表示して管理することが不可欠となっている。
そこで、設置した設備機器の現況の写真を、地図の表示と連動して表示するシステムもある。
図８は、従来における設備機器管理システムの概要を示すブロック構成図であり、各種の指示を入力する入力部８１、地図データおよび設備機器データを格納するデータベース部８２、全体を制御するデータ処理部８３、処理結果を表示する表示部８４とから構成されている。
このような構成の設備機器管理システムにおいては、データ処理部８３はデータベース部８２より地図データを読出し、その地図データを可視化した地図を表示部８４に表示させる。
一方、表示部８４で表示した地図上で設備機器の位置を指定し、また、入力部８１より設備機器を識別するＩＤを含む設備機器の諸データを入力し、データ処理部８３によりデータベース部８２に登録する。データ処理部８３は、登録した設備機器データと地図データを合成して表示部８４に地図表示する。
なお、本発明に関連する公知技術文献としては下記の特許文献１、特許文献２がある。
【特許文献１】特開２００３−２１４８８９号公報
【特許文献２】特開平８−２４１１１９号公報
【発明の開示】
【発明が解決しようとする課題】
【０００３】
ところで、設備機器の諸データは、現地据付作業前に設備機器データに割り当てた識別子に対するものであり、施工直後あるいは施工後の変更（移動、撤去等）が行われた場合の現物の位置を反映しているわけではない。
機器番号や管理番号などの識別子が直接目視できない位置に取り付けられている設備機器、例えば識別子が機器本体の背面に取り付けられていたり、他の設備機器で遮蔽された位置関係に取り付けられている設備機器にあっては、識別子を直接目視確認することができないことから、現物と識別子との照合ができないままとなり、設備機器の補修、交換等の管理を行う場合に障害を来たすという問題があった。
また、設備機器の写真を表示する方式、その他の方式においても、現物との照合はできないという問題があった。
【０００４】
本発明の目的は、識別子が直接目視できない位置に設置された設備機器であっても、地図上で現物を照合確認し、施設の最適な計画、維持管理をすることができる設備機器管理システムを提供することにある。
【課題を解決するための手段】
【０００５】
上記目的を達成するために、本発明の設備機器管理システムは、管理対象の設備機器に取り付けられた記録媒体から当該設備機器の識別情報を非接触で読取る読み取り手段と、管理対象の設備機器の識別情報と設置位置情報を格納した第１の記憶手段と、地図情報を記憶した第２の記憶手段と、前記読み取り手段によって管理対象の設備機器の記録媒体から読取った識別情報により前記記憶手段を検索し、管理対象の設備機器の設置位置情報を取得し、該設置位置情報によって前記第２の記憶手段から対応する位置の地図データを取得し、当該設備機器の設置位置を地図上に表示させる地図表示処理手段と、表示された設備機器の設置位置と実際の設置位置との一致、不一致をユーザの入力操作によって受付け、管理結果として第３の記憶手段に登録する手段とを備えることを特徴とする。
【発明の効果】
【０００６】
本発明の設備機器管理システムによれば、識別子が直接目視できない位置に設置された設備機器であっても、地図上で現物を照合確認し、施設の最適な計画、維持管理をすることができる。
【発明を実施するための最良の形態】
【０００７】
以下、本発明を適用した設備機器管理システムの一実施の形態について説明する。
図１は、本発明の実施形態の一例を示すシステム構成図であり、地図データベース３および設備機器データベース４を備えたホストシステム１と、この地図データベース３および設備機器データベース４を共有する移動端末システム２から構成されている。
移動端末システム２とホストシステム１とは、公衆回線網を使ってリアルタイムに、あるいはオフラインで同期をとることで、データを共有している。
地図データベース３には、例えば施設を設置した地域の住宅地図を示す地図データおよび全世帯の情報が登録されている。
設備機器データベース４には、設備機器のＩＤおよび位置データが格納される。
また、ホストシステム１は、地図データベース３や設備機器データベース４の更新処理を行うＤＢ更新部９、地図データベース３や設備機器データベース４の検索処理を行う検索処理部１０、地図表示を行う表示部１１を備えている。
移動端末システム２には電子タグリーダ５が接続され、設備機器６に貼付けなどの形態によって取り付けられた電子タグ７に記録された設備機器ＩＤを読込むことができるように構成されている。
【０００８】
図２は、設備機器データベース４に格納される設備機器データの構成図であり、設備機器ＩＤ２１、位置情報２２、設備機器情報２３の各データから構成され、設備機器の表示位置を特定するようになっている。
設備機器情報２３は、型番、設置日付、接続関係、製造番号等の情報で構成されている。
図３は、移動端末システム２の構成を示した図である。
すなわち、設備機器６に貼付された電子タグ７へ電波を送信し、電子タグ７からの電波を受信して設備機器６のＩＤを読取る電子タグリーダ部３１、この電子タグリーダ部３１が読取った設備機器６のＩＤに対する設備機器データを保持するデータベース部３２、地図データを可視化した地図を表示する表示部３４、情報を入力する入力部３３、設備機器６のＩＤを照合して地図に表示するデータ処理部３５および、照合結果を格納するログ部３６から構成されている。
ここで、データ処理部３５は、電子タグリーダ部３１から読出した設備機器６のＩＤに対応する設備機器データが、データベース部３２に存在するか否かを照合する設備機器照合処理部３５２と、存在する場合は、その設備機器データを可視化して該当する位置に表示させる地図表示処理部３５１とを備えている。
データベース部３２の地図データベース３と設備機器データベース４は、ホストシステム１と公衆回線網等を介して共有するようになっており、また、ログ部３６のデータもホストシステム１と公衆回線網等を介して共有するようになっている。
【０００９】
図４は、設備機器管理システム全体の作業概要を示すフローチャートである。
本実施形態における設備機器管理システムにおいて、ホストシステム１と移動端末システム２は次のように使用する。
準備作業４０１で使用するのはホストシステム１、現地作業４０２では移動端末システム２、保守作業４０３ではホストシステム１と移動端末システム２である。
準備作業４０１は、例えばＣＡＴＶ施設にあっては、アンプやブースターのような設備機器６の準備を行う作業である。設置する設備機器６に対し、識別可能なＩＤを割り振り、ホストシステム１により設備機器データベース４に登録する（ステップ４０４）。
そして、電子タグ７に設備機器ＩＤ２１を書込み、その電子タグ７を設備機器６に貼付する（ステップ４０５）。
次に、型名等の設備機器情報２３と位置情報２２を設備機器ＩＤと関連させ、設備機器データベース４に登録し（ステップ４０６）、ホストシステム１により地図を表示、目視確認する（ステップ４０７）。
現地作業４０２は、電子タグ７を貼付した設備機器６を現地に据付工事する（ステップ４０８）。工事終了後、移動端末システム２を使用して、電子タグ７から設備機器ＩＤを読取り、確認する（ステップ４０９）。
保守作業４０３は、設置済の設備機器６を照合確認する。
移動端末システム２を使用して、アンプやブースターのような設備機器６の電子タグ７から設備機器ＩＤを読取り（ステップ４１０）、また照合の確度向上の設定（任意）を行う（ステップ４１１）。照合の確度向上の設定として、（ａ）近傍の電柱のような設備機器のＩＤを読取る、（ｂ）衛星電波が受信可能な場所では、ＧＰＳ機能を移動端末システム２に内蔵させ、観測地点の位置を取り込む、等を行い、照合確認する（ステップ４１２）。照合確認結果はログ部３６に格納し、ホストシステム１で地図データベース３、設備機器データベース４に反映する（ステップ４１３）。
【００１０】
図５は、移動端末システム２の現物照合処理の概要を示すフローチャートである。
現物照合処理にあたり、照合の確度向上の設定（任意）を行う（ステップ５０１）。
移動端末システム２は、照合対象の設備機器６に貼付された電子タグ７から設備機器ＩＤを読取り（ステップ５０２）、設備機器データベース４を検索する（ステップ５０３）。
検索により該当する設備機器ＩＤが設備機器データベース４に登録されているかを判定する（ステップ５０４）。
登録されていない場合はエラー表示し、かつログ部３６に図７に示すように設備機器ＩＤ７１と結果７２を書き込む。この例では、結果７２は「エラー」と書き込む（ステップ５０９）。
登録されていれば、地図データ表示処理部３５１によって、図６に示すように該当する設備機器６３の位置情報２２を設備機器ＩＤによって設備機器データベース４から取得し、さらにその位置情報２２によって地図データベース３を検索し、該当する設備機器６３が存在する位置を地図表示する。このとき、照合の確度向上の設定として近傍の設備機器６２が読取られていれば、設備機器データベース４と地図データベース３を検索し、近傍の設備機器６２とその周辺領域を地図表示する。また、ＧＰＳ機能により観測地点の位置６５が取り込まれていれば地図データベース３を検索し、その観測地点の位置６５とその周辺領域を表示する（ステップ５０５）。
使用者は、地図上の設備機器の位置と現況の設備機器の位置を確認する。このとき、地図データベース３の地図データ（道路、建物等）の表示を基準として、該当する設備機器６３の位置を目視確認するが、照合の確度向上の設定が行われていれば、次のように確度の高い照合を行う。すなわち、現況の設備機器の位置が近傍の設備機器６２の周辺領域内、または観測点の位置６５の周辺領域内（図６の設備機器６３）にあれば一致と判断し、周辺領域外（図６の設備機器６４）にあれば不一致と判断する。そして、一致、不一致の判断を移動端末システム２に入力する（ステップ５０６）。
【００１１】
移動端末システム２は、一致、不一致を判断し（ステップ５０７）、一致であれば、ログ部３６の結果７２に「合格」と書き込む（ステップ５０８）。不一致であれば、使用者は現況位置６４を地図上で指定する（ステップ５１０）。移動端末システム２は、ログ部３６の結果７２に変更と書き込む（ステップ５１１）。
移動端末システム２で現地よりログ部３６に収集したログは、ホストシステム１により次のように活用する。
結果７２が「合格」である設備機器６は、確認済設備機器として、設備機器データベース４に登録する。また、結果７２が「変更」である設備機器６は、工事計画書等のチェックを行い、同じく確認済設備機器として、設備機器データベース４に登録する。これらのデータは、資産管理資料としても活用できる。
結果７２がエラーである場合は、（ａ）設備機器データベース４に登録されている設備機器６が現地に存在しない、（ｂ）現地に存在する設備機器６が設備機器データベース４に登録されていない、というケースを照合し、配置位置の変更であることがわかれば結果７２を「変更」と登録変更し、そうでなければ工事で交換廃棄物と照合する。
このように、ログ解析により、最適な工事管理と予定を立てることができる。
【００１２】
以上のように、本実施の形態の設備機器管理システムによれば、次のような効果がある。
（１）識別子が直接目視できない位置に設置された設備機器であっても、地図上で現物を照合確認し、施設の最適な計画、維持管理をすることができる。
（２）現物照合により確認するので、精度の高い資産管理ができる。
【００１３】
なお、上記の実施形態においては、管理対象となる設備機器の設置位置が正しいかどうかをユーザに判定させるために、基準となる他の設備機器の位置を表示しているが、衛星電波を利用したＧＰＳ機能を移動端末システム２に内蔵させ、設備機器データベースに登録されている位置情報で示される位置に移動端末システム２を移動させた場合に、その位置に管理対象となる設備機器が設置されているか否かによって、当該設備機器の設置位置が正しいかどうかをユーザに判定させるように構成することができる。
ＧＰＳ機能を搭載した場合には、基準となる他の設備機器を選定する必要がなくなり、かつ基準となる他の設備機器自体が正規でない位置に設置されていた場合の誤認を防止することができる。
【図面の簡単な説明】
【００１４】
【図１】本発明の一実施の形態例を示すシステム構成図である。
【図２】設備機器データベースに格納されているデータの構成図である。
【図３】移動端末装置の内部構成図である。
【図４】現物照合施設管理システム全体の作業概要を示すフローチャートである。
【図５】移動端末システムの現物照合処理の概要を示すフローチャートである。
【図６】画面上の地図に現物照合した設備機器が表示される具体例の説明図である。
【図７】ログに記載されるデータの構成図である。
【図８】従来の施設管理システムの概略構成図である。
【符号の説明】
【００１５】
１…ホストシステム、２…移動端末システム、３…地図データベース、４…設備機器データベース、５…電子タグリーダ、６…設備機器、７…電子タグ、８…ログ、４０１…準備作業、４０２…現地作業、４０３…保守作業。
【図１】
2006277176.tif 000003
【図２】
2006277176.tif 000004
【図３】
2006277176.tif 000005
【図４】
2006277176.tif 000006
【図５】
2006277176.tif 000007
【図６】
2006277176.tif 000008
【図７】
2006277176.tif 000009
【図８】
2006277176.tif 000010